(57)【要約】【課題】光ディスク再生装置において、光ディスクから画像が再生されるまでの待ち時間を楽しむことができるようにする。【解決手段】光ディスク再生装置は、光ディスクから画像を再生するとき、まず、第１の初期画像を表示し（＃４）、その後、再生準備動作が完了する前に（＃５でＮＯ）、１０秒以上経過すると（＃７でＹＥＳ）、第２の初期画像を表示し（＃８）、さらにその後、再生準備動作が完了する前に（＃９でＮＯ）、１０秒以上経過すると（＃１１でＹＥＳ）、第３の初期画像を表示する（＃１２）。このように、光ディスク再生装置は、再生準備動作を行っている間、初期画像として、時間の経過に応じて、別の種類の画像である第１の画像、第２の画像、第３の画像を順次表示する。ユーザは、初期画像（順次表示される第１〜第３の画像）によって、光ディスクから画像が再生されるまでの待ち時間を楽しむことができる。【選択図】図２
2010135022.tif 000002
【特許請求の範囲】
【請求項１】
光ディスクから画像データを読取って、前記光ディスクから読取った画像データに基く画像を表示することによって、前記光ディスクから画像を再生する光ディスク再生装置において、
前記光ディスクから画像を再生するときに、前記光ディスクから画像を再生するための再生準備動作を行っている間、所定の初期画像を表示する初期画像表示手段を備え、
前記初期画像表示手段は、前記初期画像として、時間の経過に応じて、別の種類の画像を順次表示する、
ことを特徴とする光ディスク再生装置。
【請求項２】
前記初期画像表示手段は、前記初期画像として、前記光ディスクの種類によって異なる画像を表示する、
ことを特徴とする請求項１に記載の光ディスク再生装置。
【請求項３】
前記初期画像表示手段は、前記初期画像として、予め用意されている複数の画像のうち、ユーザにより選択されて前記初期画像として表示する画像に設定されている画像を表示する、
ことを特徴とする請求項１に記載の光ディスク再生装置。
【請求項４】
前記初期画像表示手段は、前記初期画像のうち最初に表示する第１の初期画像として、前記光ディスクの種類を表す画像を表示する、
ことを特徴とする請求項１に記載の光ディスク再生装置。
【請求項５】
前記初期画像表示手段は、前記初期画像のうち最初に表示する第１の初期画像として、本装置のメーカ名を表す画像を表示する、
ことを特徴とする請求項１に記載の光ディスク再生装置。
【発明の詳細な説明】
【技術分野】
【０００１】
本発明は、例えばＣＤ、ＤＶＤ、ＢＤ（ブルーレイディスク）等の光ディスクから画像を再生する光ディスク再生装置に関するものである。
【背景技術】
【０００２】
従来から、光ディスク再生装置は、光ディスクから画像データを読取って、光ディスクから読取った画像データに基く画像を表示することによって、光ディスクから画像を再生するようになっている。このような光ディスク再生装置では、光ディスクから画像を再生するとき、まず、光ディスクから画像を再生するための再生準備動作（光ディスクから管理データや制御データなどを読取って、光ディスクから画像を再生するために、それらのデータを処理する動作）を行い、そして、再生準備動作を終えた後に、光ディスクから画像データを読取って、光ディスクから読取った画像データに基く画像を表示するようになっている。従って、このような光ディスク再生装置では、光ディスクから画像を再生するとき、再生準備動作を行っている間は、光ディスクから読取った画像データに基く画像が表示されず、光ディスクから画像が再生されない。この間は、ユーザにとって、待ち時間となる。
【０００３】
そこで、このような光ディスク再生装置において、光ディスクから画像を再生するときに、光ディスクから画像が再生されるまでの間（すなわち再生準備動作を行っている間）、予め用意された所定の初期画像を表示するようにしたものが知られている（例えば特許文献１乃至特許文献３参照）。特許文献１乃至特許文献３に記載の光ディスク再生装置では、初期画像として、光ディスクから画像が再生されるまで、同じ画像（静止画や動画）を表示し続けるようになっている。
【特許文献１】特開２００１−３２６９０４号公報
【特許文献２】実用新案登録第３０９００５６号公報
【特許文献３】特開２００６−２５３８６３号公報
【発明の開示】
【発明が解決しようとする課題】
【０００４】
しかしながら、上述した従来の光ディスク再生装置においては、初期画像として、光ディスクから画像が再生されるまで、同じ画像を表示し続けるものであるため、ユーザは、光ディスクから画像が再生されるまでの待ち時間を楽しむことができない。特に、光ディスクがＢＤである場合（光ディスクから画像が再生されるまで３０秒以上かかることもある）など再生準備動作に長い時間を要する場合には、光ディスクから画像が再生されるまでの待ち時間が長く、ユーザは、長い待ち時間を、楽しむことができないまま費やしてしまうことになる。また、初期画像として、同じ画像が長く続くと、ユーザは、何らかの操作をしなければならないものと勘違いして、誤操作をしてしまう可能性がある。
【０００５】
本発明は、上記課題を解決するためになされたものであり、光ディスクから画像が再生されるまでの待ち時間を楽しむことができる光ディスク再生装置を提供することを目的とする。
【課題を解決するための手段】
【０００６】
上記目的を達成するために請求項１の発明は、光ディスクから画像データを読取って、光ディスクから読取った画像データに基く画像を表示することによって、光ディスクから画像を再生する光ディスク再生装置において、光ディスクから画像を再生するときに、光ディスクから画像を再生するための再生準備動作を行っている間、所定の初期画像を表示する初期画像表示手段を備え、初期画像表示手段は、初期画像として、時間の経過に応じて、別の種類の画像を順次表示するものである。
【０００７】
請求項２の発明は、請求項１に記載の光ディスク再生装置において、初期画像表示手段は、初期画像として、光ディスクの種類によって異なる画像を表示するものである。
【０００８】
請求項３の発明は、請求項１に記載の光ディスク再生装置において、初期画像表示手段は、初期画像として、予め用意されている複数の画像のうち、ユーザにより選択されて初期画像として表示する画像に設定されている画像を表示するものである。
【０００９】
請求項４の発明は、請求項１に記載の光ディスク再生装置において、初期画像表示手段は、初期画像のうち最初に表示する第１の初期画像として、光ディスクの種類を表す画像を表示するものである。
【００１０】
請求項５の発明は、請求項１に記載の光ディスク再生装置において、初期画像表示手段は、初期画像のうち最初に表示する第１の初期画像として、本装置のメーカ名を表す画像を表示するものである。
【発明の効果】
【００１１】
請求項１の発明によれば、光ディスクから画像を再生するときに、光ディスクから画像を再生するための再生準備動作が行われている間、初期画像として、時間の経過に応じて、別の種類の画像が順次表示される。これにより、ユーザは、その初期画像（順次表示される別の種類の画像）によって、光ディスクから画像が再生されるまでの待ち時間を楽しむことができる。また、ユーザは、別の種類の画像が順次表示されることにより、再生準備動作が順調に進行しているものと判断することができ、何らかの操作をしなければならないものと勘違いすることなく、誤操作をする頻度を減らすことができる。
【００１２】
請求項２の発明によれば、初期画像として、再生しようとする光ディスクの種類によって異なる画像が表示されることにより、ユーザは、より一層、光ディスクから画像が再生されるまでの待ち時間を楽しむことができる。
【００１３】
請求項３の発明によれば、初期画像として、ユーザにより選択されて設定された画像が表示されることにより、ユーザは、好みの初期画像を表示させることができ、より一層、光ディスクから画像が再生されるまでの待ち時間を楽しむことができる。
【００１４】
請求項４の発明によれば、初期画像として、光ディスクの種類を表す画像が表示されることにより、ユーザは、その初期画像（光ディスクの種類を表す画像）によって、再生しようとする光ディスクの種類を知ることができる。従って、ユーザは、初期画像によって知った光ディスクの種類から、画像が再生されるまでの待ち時間を予測することができ、光ディスクから画像が再生されるまで待つことによるストレス感が軽減する。
【００１５】
請求項５の発明によれば、初期画像として、光ディスク再生装置のメーカ名を表す画像が表示されることにより、ユーザは、その初期画像（光ディスク再生装置のメーカ名を表す画像）によって、光ディスク再生装置のメーカ名を知ることができる。従って、ユーザに宣伝効果を与えることができる。
【発明を実施するための最良の形態】
【００１６】
以下、本発明を具体化した実施形態による光ディスク再生装置について図面を参照して説明する。図１は、本実施形態による光ディスク再生装置の構成を示す。光ディスク再生装置１は、光ディスク２として、ＣＤ、ＤＶＤ、ＢＤ（ブルーレイディスク）を扱い、これらＣＤ、ＤＶＤ、ＢＤから画像及び音声を再生する装置である。光ディスク再生装置１は、光ディスク２から画像データを読取って、光ディスク２から読取った画像データに基く画像を外部機器３のディスプレイ３１に表示することによって、光ディスク２から画像を再生する。また、光ディスク再生装置１は、光ディスク２から音声データを読取って、光ディスク２から読取った音声データに基く音声を外部機器３のスピーカ３２に出力することによって、光ディスク２から音声を再生する。この光ディスク再生装置１は、光ディスク２から画像を再生するときに、光ディスク２から画像を再生するための再生準備動作を行っている間、所定の初期画像を表示するようになっている。
【００１７】
光ディスク再生装置１は、ディスクドライブ１１と、タイマ１２と、メモリ１３と、ＡＶ処理部１４と、リモコン（リモートコントローラ）１５と、リモコン受信部１６と、光ディスク再生装置１の動作を制御するＣＰＵ、ＲＯＭ、及びＲＡＭ等を含む制御部１７等を備える。制御部１７のＲＯＭには、光ディスク再生装置１の動作を制御するためのプログラムや各種データが記憶されている。
【００１８】
ディスクドライブ１１は、光ディスク２が装着／取外しされるようになっており、制御部１７による制御のもと、装着された光ディスク２から記録データ（光ディスク２に記録されている管理データ、制御データ、画像データ、音声データ等の各種データ）を読取って、光ディスク２から読取った記録データを出力する。このディスクドライブ１１は、光ディスク２として、ＣＤ、ＤＶＤ、ＢＤ（ブルーレイディスク）から記録データを読取ることができるようになっている。また、ディスクドライブ１１は、光ディスク２が装着されたことを検出する機能、及び装着された光ディスク２の種類を識別する機能を有しており、光ディスク２が装着されると、光ディスク２が装着されたことを示すディスク検出信号、及び装着された光ディスク２の種類を示すディスク識別信号を出力する。
【００１９】
タイマ１２は、計時動作を行い、現在時刻を出力する。メモリ１３は、初期画像として表示する画像の画像データを予め記憶している。また、メモリ１３は、制御部１７による制御のもと、タイマ１２から出力された現在時刻や、光ディスク再生装置１の各種設定内容等を記憶する。
【００２０】
ＡＶ処理部１４は、制御部１７による制御のもと、制御部１７から供給される画像データを処理して、その画像データによる画像をディスプレイ３１に表示するための画像信号を生成し、その画像信号をディスプレイ３１に送出する。また、ＡＶ処理部１４は、制御部１７による制御のもと、制御部１７から供給される音声データを処理して、その音声データによる音声をスピーカ３２から出力するための音声信号を生成し、その音声信号をスピーカ３２に送出する。ＡＶ処理部１４からディスプレイ３１に画像信号が出力されることにより、その画像信号による画像（すなわち制御部１７から供給された画像データによる画像）がディスプレイ３１に表示され、ＡＶ処理部１４からスピーカ３２に音声信号が出力されることにより、その音声信号による音声（すなわち制御部１７から供給された音声データによる音声）がスピーカ３２から出力される。
【００２１】
リモコン１５は、光ディスク再生装置１の各種動作を指示するためにユーザに操作される各種操作キーを備えており、各種操作キーが操作されることにより、その操作内容を示す操作信号を無線信号によって送信する。リモコン受信部１６は、リモコン１５から送信された無線信号を受信して、リモコン１５の操作内容を示すリモコン受信信号を電気信号によって出力する。
【００２２】
制御部１７は、リモコン受信部１６から出力されるリモコン受信信号に基いて、リモコン１５の操作内容を判断する。また、制御部１７は、ディスクドライブ１１から出力されるディスク検出信号に基いて、ディスクドライバ１１に光ディスク２が装着されたことを判断すると共に、ディスクドライブ１１から出力されるディスク識別信号に基いて、ディスクドライブ１１に装着された光ディスク２の種類を判別する。そして、制御部１７は、光ディスク２から画像及び音声を再生するディスク再生動作等、光ディスク再生装置１の各種動作を制御する。
【００２３】
ディスク再生動作は、ディスクドライブ１１に光ディスク２が装着されたことを受けて、又は、リモコン１５によるディスク再生操作がなされたことを受けて、開始される。ディスク再生動作では、制御部１７は、まず、光ディスク２の種類を判別し、続いて、光ディスク２から画像及び音声を再生するための再生準備動作を行い、そして、再生準備動作を終えた後に、光ディスク２から画像及び音声を再生する。
【００２４】
光ディスク２の種類の判別は、ディスクドライブ１１から出力されるディスク識別信号に基いて行われる。すなわち、制御部１７は、ディスクドライブ１１から出力されるディスク識別信号に基いて、光ディスク２の種類を判別する。
【００２５】
再生準備動作とは、光ディスク２から管理データや制御データなどを読取って、光ディスク２から画像及びを再生するために、それらの管理データや制御データなどをデータ処理する動作である。すなわち、再生準備動作において、制御部１７は、ディスクドライブ１１によって光ディスク２から管理データや制御データなどを読取らせ、光ディスク２から読取った（ディスクドライブ１１から出力される）管理データや制御データなどをデータ処理をする。
【００２６】
光ディスク２からの画像及び音声の再生は、光ディスク２に記録されている画像データに基く画像をディスプレイ３１に表示すると共に、光ディスク２に記録されている音声データに基く音声をスピーカ３２から出力することにより行われる。すなわち、光ディスク２からの画像及び音声の再生において、制御部１７は、ディスクドライブ１１によって光ディスク２から画像データ及び音声データを読取らせ、光ディスク２から読取った（ディスクドライブ１１から出力される）画像データ及び音声データをＡＶ処理部１４に供給する。これにより、ＡＶ処理部１４によって、光ディスク２から読取った画像データに基く画像をディスプレイ３１に表示するための画像信号が生成され、その画像信号がディスプレイ３１に送出されて、光ディスク２から読取った画像データに基く画像がディスプレイ３１に表示される。また、ＡＶ処理部１４によって、光ディスク２から読取った音声データに基く音声をスピーカ３２から出力するための音声信号が生成され、その音声信号がスピーカ３２に送出されて、光ディスク２から読取った音声データに基く音声がスピーカ３２から出力される。
【００２７】
また、ディスク再生動作において（すなわち、光ディスク２から画像や音声を再生するときに）、再生準備動作を行っている間、制御部１７は、初期画像を表示する。初期画像の表示は、メモリ１３に記憶されている画像データ（初期画像として表示する画像の画像データ）に基く画像をディスプレイ３１に表示することにより行われる。すなわち、初期画像の表示において、制御部１７は、メモリ１３から画像データを読出して、その画像データをＡＶ処理部１４に供給する。これにより、ＡＶ処理部１４によって、メモリ１３から読出した画像データに基く画像をディスプレイ３１に表示するための画像信号が生成され、その画像信号がディスプレイ３１に送出されて、初期画像がディスプレイ３１に表示される。制御部１７等によって、初期画像表示手段が構成されている。
【００２８】
ここで、上記初期画像の表示の動作について説明する。上述のように、制御部１７は、ディスク再生動作において（すなわち、光ディスク２から画像や音声を再生するときに）、再生準備動作を行っている間、ディスプレイ３１に初期画像を表示する。このとき、制御部１７は、初期画像として、時間の経過に応じて、別の種類の画像を順次表示する。別の種類の画像とは、連続性を有する（連続的に変化する）複数の静止画像や、一連の動画などではなく、それだけで完結する独立した画像（静止画像又は動画）のことである。
【００２９】
本実施形態では、初期画像として、第１の初期画像、第２の初期画像、第３の初期画像を順次表示する。すなわち、制御部１７は、再生準備動作を開始した後、まず、第１の初期画像を表示し、その後、再生準備動作が完了するよりも先に所定時間が経過すると、第１の初期画像に替えて、第１の初期画像とは別の種類の第２の初期画像を表示し、さらにその後、再生準備動作が完了するよりも先に所定時間が経過すると、第２の初期画像に替えて、第２の初期画像とは別の種類の第３の初期画像を表示する。
【００３０】
また、制御部１７は、初期画像として、光ディスク２の種類によって異なる画像を表示する。すなわち、光ディスク２がＣＤである場合には、制御部１７は、再生準備動作を開始した後、まず、ＣＤ用の第１の初期画像を表示し、その後、再生準備動作が完了するよりも先に所定時間が経過すると、ＣＤ用の第１の初期画像に替えて、ＣＤ用の第２の初期画像を表示し、さらにその後、再生準備動作が完了するよりも先に所定時間が経過すると、ＣＤ用の第２の初期画像に替えて、ＣＤ用の第３の初期画像を表示する。同様に、光ディスク２がＤＶＤである場合には、制御部１７は、ＤＶＤ用の第１の初期画像、ＤＶＤ用の第２の初期画像、ＤＶＤ用の第３の初期画像を順次表示し、光ディスク２がＢＤである場合には、制御部１７は、ＢＤ用の第１の初期画像、ＢＤ用の第２の初期画像、ＢＤ用の第３の初期画像を順次表示する。
【００３１】
本実施形態では、初期画像のうち最初に表示する第１の初期画像として、光ディスク２の種類を表すと共に光ディスク再生装置１のメーカ名を表す画像を表示し、第２の初期画像として、風景の画像を表示し、第３の初期画像として、ユーザへのメッセージを示す画像を表示する。
【００３２】
例えば、ＣＤ用の第１の初期画像としては、白色の背景にメーカ名を示す文字を含んだ画像を表示し、ＤＶＤ用の第１の初期画像としては、赤色の背景にメーカ名を示す文字を含んだ画像を表示し、ＢＤ用の第１の初期画像として、青色の背景にメーカ名を示す文字を含んだ画像を表示する。つまり、ＣＤ用の第１の初期画像は、白色の背景によって、光ディスク２がＣＤであることを表している共に、メーカ名を示す文字によって、光ディスク再生装置１のメーカ名を表している。また、ＤＶＤ用の第１の初期画像は、赤色の背景によって、光ディスク２がＤＶＤであることを表している共に、メーカ名を示す文字によって、光ディスク再生装置１のメーカ名を表している。また、ＢＤ用の第１の初期画像は、青色の背景によって、光ディスク２がＢＤであることを表している共に、メーカ名を示す文字によって、光ディスク再生装置１のメーカ名を表している。
【００３３】
また、例えば、ＣＤ用の第２の初期画像としては、山の風景の画像を表示し、ＤＶＤ用の第２の初期画像としては、草原の風景の画像を表示し、ＢＤ用の第２の初期画像としては、街の風景の画像を表示する。また、これらＣＤ用の第２の初期画像、ＤＶＤ用の第２の初期画像、ＢＤ用の第２の初期画像は、予め用意されている複数の画像（春の風景の画像、夏の風景の画像、秋の風景の画像、冬の風景の画像）のうち、ユーザにより選択されて初期画像として表示する画像に設定されている画像を表示する。ユーザによる第２の初期画像の選択（設定）は、ユーザがモコン１４を操作することにより行われる。ユーザにより選択されていない場合には、初期設定されている画像を表示する。
【００３４】
また、例えば、ＣＤ用の第３の初期画像、ＤＶＤ用の第３の初期画像、ＢＤ用の第３の初期画像としては、共通の画像にし、「再生準備中です。もうしばらく、お待ちください」等のメッセージを示す画像を表示する。
【００３５】
従って、光ディスク２がＣＤである場合には、初期画像として、白色の背景にメーカ名を示す文字を含んだ画像（第１の初期画像）→山（の春、夏、秋、冬のいずれか）の風景画像（第２の初期画像）→「再生準備中です。もうしばらく、お待ちください」等のメッセージを示す画像（第３の初期画像）の順に、画像を表示する。また、光ディスク２がＤＶＤである場合には、初期画像として、赤色の背景にメーカ名を示す文字を含んだ画像（第１の初期画像）→草原（の春、夏、秋、冬のいずれか）の風景画像（第２の初期画像）→「再生準備中です。もうしばらく、お待ちください」等のメッセージを示す画像（第３の初期画像）の順に、画像を表示する。また、光ディスク２がＢＤである場合には、初期画像として、青色の背景にメーカ名を示す文字を含んだ画像（第１の初期画像）→街（の春、夏、秋、冬のいずれか）の風景画像（第２の初期画像）→「再生準備中です。もうしばらく、お待ちください」等のメッセージを示す画像（第３の初期画像）の順に、画像を表示する。
【００３６】
制御部１７は、このように初期画像を表示する。すなわち、これらＣＤ用、ＤＶＤ用、ＢＤ用の第１、第２、第３の初期画像の画像データがメモリ１３に記憶されており、制御部１７は、これらメモリ１３に記憶されているＣＤ用、ＤＶＤ用、ＢＤ用の第１、第２、第３の初期画像の画像データに基いて、初期画像を表示する。
【００３７】
図２は、上記光ディスク再生装置１のディスク再生動作のフローチャートを示す。ディスク再生動作は、上述のように、ディスクドライブ１１に光ディスク２が装着されたことを受けて、又は、リモコン１５によるディスク再生操作がなされたことを受けて、開始される。
【００３８】
ディスク再生動作では、まず、制御部１７は、ディスクドライブ１１から出力されるディスク識別信号に基いて、ディスクドライブ１１に装着されている光ディスク２の種類を判別する（＃１）。続いて、制御部１７は、再生準備動作を開始する（＃２）。
【００３９】
そして、制御部１７は、タイマ１２から現在時刻を取得して、現在時刻をメモリ１３に記憶すると共に（＃３）、第１の初期画像をディスプレイ３１に表示する（＃４）。このとき、制御部１７は、第１の初期画像として、上述のように、光ディスク２の種類に応じて異なる画像を表示する。すなわち、光ディスク２がＣＤの場合には、ＣＤ用の第１の初期画像を表示し、光ディスク２がＤＶＤの場合には、ＤＶＤ用の第１の初期画像を表示し、光ディスク２がＢＤの場合には、ＢＤ用の第１の初期画像を表示する。
【００４０】
その後、第１の初期画像の表示中において、再生準備動作が完了した場合には（＃５でＹＥＳ）、制御部１７は、光ディスク２から画像及び音声を再生する（＃１４）。
【００４１】
一方、第１の初期画像の表示中において、再生準備動作が完了していない場合には（＃５でＮＯ）、制御部１７は、タイマ１２から現在時刻を取得して、現在時刻と上記＃３においてメモリ１３に記憶した時刻とに基いて、第１の初期画像を表示してからの経過時間を計測する（＃６）。そして、計測時間（第１の初期画像を表示してからの経過時間）が１０秒以上でなければ（＃７でＮＯ）、制御部１７は、上記＃５以降の処理を繰り返し、計測時間が１０秒以上であれば（＃７でＹＥＳ）、制御部１７は、第２の初期画像をディスプレイ３１に表示する（＃８）。このとき、制御部１７は、第２の初期画像として、上述のように、光ディスク２の種類に応じて異なる画像を表示する。すなわち、光ディスク２がＣＤの場合には、ＣＤ用の第２の初期画像を表示し、光ディスク２がＤＶＤの場合には、ＤＶＤ用の第２の初期画像を表示し、光ディスク２がＢＤの場合には、ＢＤ用の第２の初期画像を表示する。
【００４２】
従って、第１の初期画像を表示した後は、１０秒経過するよりも先に再生準備動作が完了すると、第１の初期画像に替って、光ディスク２から読取った画像データに基く画像がディスプレイ３１に表示され、再生準備動作が完了するよりも先に１０秒経過すると、第１の初期画像に替って、第２の初期画像がディスプレイ３１に表示される。
【００４３】
その後、第２の初期画像の表示中において、再生準備動作が完了した場合には（＃９でＹＥＳ）、制御部１７は、光ディスク２から画像を再生する（＃１４）。
【００４４】
一方、第２の初期画像の表示中において、再生準備動作が完了していない場合には（＃９でＮＯ）、制御部１７は、タイマ１２から現在時刻を取得して、現在時刻と上記＃３においてメモリ１３に記憶した時刻とに基いて、第２の初期画像を表示してからの経過時間を計測する（＃１０）。そして、計測時間（第２の初期画像を表示してからの経過時間）が１０秒以上でなければ（＃１１でＮＯ）、制御部１７は、上記＃９以降の処理を繰り返し、計測時間が１０秒以上であれば（＃１１でＹＥＳ）、制御部１７は、第３の初期画像をディスプレイ３１に表示する（＃１２）。このとき、制御部１７は、第３の初期画像として、上述のように、光ディスク２の種類に応じて異なる画像を表示する。すなわち、光ディスク２がＣＤの場合には、ＣＤ用の第３の初期画像を表示し、光ディスク２がＤＶＤの場合には、ＤＶＤ用の第３の初期画像を表示し、光ディスク２がＢＤの場合には、ＢＤ用の第３の初期画像を表示する。
【００４５】
従って、第２の初期画像を表示した後は、１０秒経過するよりも先に再生準備動作が完了すると、第２の初期画像に替って、光ディスク２から読取った画像データに基く画像がディスプレイ３１に表示され、再生準備動作が完了するよりも先に１０秒経過すると、第２の初期画像に替って、第３の初期画像がディスプレイ３１に表示される。
【００４６】
その後、第３の初期画像の表示中において、再生準備動作が完了した場合には（＃１３でＹＥＳ）、制御部１７は、光ディスク２から画像を再生する（＃１４）。
【００４７】
従って、第３の初期画像を表示した後は、再生準備動作が完了すると、第３の初期画像に替って、光ディスク２から読取った画像データに基く画像がディスプレイ３１に表示され、再生準備動作が完了するまで、第３の初期画像が表示される。
【００４８】
このように、ディスク再生動作では（すなわち、光ディスク２から画像や音声を再生するときに）、再生準備動作を行っている間、初期画像として、時間の経過に応じて、別の種類の画像である第１の画像、第２の画像、第３の画像が順次表示される。
【００４９】
このような構成の光ディスク再生装置１によれば、光ディスク２から画像や音声を再生するときに、光ディスク２から画像を再生するための再生準備動作が行われている間、初期画像として、時間の経過に応じて、別の種類の画像が順次表示される。これにより、ユーザは、その初期画像（順次表示される別の種類の画像）によって、光ディスク２から画像が再生されるまでの待ち時間を楽しむことができる。また、ユーザは、別の種類の画像が順次表示されることにより、再生準備動作が順調に進行しているものと判断することができ、何らかの操作をしなければならないものと勘違いすることなく、誤操作をする頻度を減らすことができる。
【００５０】
しかも、初期画像として、再生しようとする光ディスク２の種類によって異なる画像が表示されることにより、ユーザは、より一層、光ディスク２から画像が再生されるまでの待ち時間を楽しむことができる。
【００５１】
さらに、初期画像として、ユーザにより選択されて設定された画像が表示されることにより、ユーザは、好みの初期画像を表示させることができ、より一層、光ディスク２から画像が再生されるまでの待ち時間を楽しむことができる。
【００５２】
また、初期画像として、光ディスク２の種類を表す画像が表示されることにより、ユーザは、その初期画像（光ディスク２の種類を表す画像）によって、再生しようとする光ディスク２の種類を知ることができる。従って、ユーザは、初期画像によって知った光ディスク２の種類から、画像が再生されるまでの待ち時間を予測することができ、光ディスク２から画像が再生されるまで待つことによるストレス感が軽減する。
【００５３】
また、初期画像として、光ディスク再生装置１のメーカ名を表す画像が表示されることにより、ユーザは、その初期画像（光ディスク再生装置１のメーカ名を表す画像）によって、光ディスク再生装置１のメーカ名を知ることができる。従って、ユーザに宣伝効果を与えることができる。
【００５４】
なお、本発明は、上記実施形態の構成に限られず、種々の変形が可能である。例えば、第１の初期画像や第３の初期画像として、予め用意されている複数の画像のうち、ユーザにより選択されて初期画像として表示する画像に設定されている画像を表示するようにしてもよい。また、第２の初期画像や第３の初期画像として、光ディスクの種類を表す画像や光ディスク再生装置のメーカを表わす画像を表示するようにしてもよい。また、初期画像（第１の初期画像、第２の初期画像、第３の初期画像）として、光ディスクから画像を再生しようとする都度、自動的に、異なる画像を表示するようにしてもよい。
【００５５】
また、光ディスク再生装置は、光ディスクとして、ＣＤ、ＤＶＤ、ＢＤのいずれか１つのみを扱うものであってもよい。また、光ディスク再生装置は、ディスプレイ及びスピーカを一体的に備えたタイプのものであってもよい。また、光ディスク再生装置は、スクリーンに画像を投影して再生するタイプのものにも適用できる。
【図面の簡単な説明】
【００５６】
【図１】本発明の一実施形態に係る光ディスク再生装置の概略構成を示す電気的ブロック構成図。
【図２】同光ディスク再生装置のディスク再生動作を示すフローチャート。
【符号の説明】
【００５７】
１    光ディスク再生装置
２    光ディスク
３    外部機器
１１  ディスクドライブ
１２  タイマ
１３  メモリ
１４  ＡＶ処理部
１５  リモコン
１６  リモコン受信部
１７  制御部
３１  ディスプレイ
３２  スピーカ
【図１】
2010135022.tif 000003
【図２】
2010135022.tif 000004